(57)【要約】      （修正有）【課題】浴槽の設置後であっても、排水構造を構成する部品の取付・交換ができる浴槽の排水構造を提供する。【解決手段】浴槽１の外側に固着されたナット３１と、浴槽１の内側から貫通・配置されナット３１に螺合される排水口部材３７と、を具備し、浴槽１の設置後であっても、浴槽１の内側から排水構造を構成する部品の取付・交換ができるようにしたものであり、排水口部材３７内には、排水連絡管５７が挿入され、その一部が浴槽１の外側に突出・配置されている。また、排水連絡管５７の上には目皿６３が着脱自在に配置され、排水連絡管５７を固定している浴槽１の設置後であっても排水構造を構成する部品の取付・交換を行うことができる。【選択図】図１
0003204494.tif 000002
【実用新案登録請求の範囲】
【請求項１】
浴槽の底壁の外側に固着されたナットと、
上記浴槽の内側から貫通・配置され上記ナットに螺合される排水口部材と、
を具備したことを特徴とする浴槽の排水構造。
【請求項２】
請求項１記載の浴槽の排水構造において、
上記排水口部材内には排水連絡管が挿入されその一部が上記浴槽の外側に突出・配置されていることを特徴とする浴槽の排水構造。
【請求項３】
請求項２記載の浴槽の排水構造において、
上記排水口部材内であって上記排水連絡管の上には目皿が着脱自在に設置されていて上記排水連絡管を固定していることを特徴とする浴槽の排水構造。
【請求項４】
請求項３記載の浴槽の排水構造において、
上記目皿は上記排水口部材内に螺合・固定されるものであることを特徴とする浴槽の排水構造。
【請求項５】
請求項１〜請求項４の何れかに記載の浴槽の排水構造において、
上記浴槽の内側には化粧板が設置されていて、上記排水口部材と上記化粧板との間には排水口化粧用カバが設置されていることを特徴とする浴槽の排水構造。
【請求項６】
請求項１〜請求項５の何れかに記載の浴槽の排水構造において、
上記ナットは上記底壁の外側の凹部に固着されていることを特徴とする浴槽の排水構造。
【考案の詳細な説明】
【技術分野】
【０００１】
本考案は、浴槽の排水構造に係り、特に、浴槽の設置後であっても、排水構造を構成する部品の取付・交換ができるように工夫したものに関する。
【背景技術】
【０００２】
浴槽の排水構造を開示するものとして、例えば、特許文献１がある。この特許文献１に開示されている浴槽の排水構造は次のような構成をなしている。
まず、排水口金が浴槽の底壁の内側から外側に貫通・配置されている。この排水口金の外周面には雄ネジ部が形成されている。一方、底壁の外側にはナットが設置されていて、このナットが上記排水口金の雄ネジ部に螺合され、それによって、排水口金が浴槽の底壁に固定されている。
【０００３】
また、上記排水口金は底壁の外側に配置された排水管に排水管用継手を介して接続されている。すなわち、上記排水管用継手は筒体と雌ねじ管とから構成されていて、上記雌ねじ管は上記排水口金の雄ネジ部に螺合・接合されており、一方、上記筒体は上記排水管に接着・固定されている。
【先行技術文献】
【特許文献】
【０００４】
【特許文献１】特開平１０−２３７９１４号公報
【考案の概要】
【考案が解決しようとする課題】
【０００５】
上記従来の構成によると次のような問題があった。
すなわち、特許文献１に記載された浴槽の排水構造の場合は、浴槽の内側から排水口金を設置し、一方、上記浴槽の外側にナットを配置して、このナットに上記排水口金を螺合することにより固定する構成になっている。その為、上記浴槽を設置するときには、上記排水口金が上記ナットに螺合された状態で上記浴槽に取り付けられている必要がある。
一方、工期、その他の事情で上記排水口金が上記ナットに螺合された状態で上記浴槽に取り付けられる前に、浴槽だけが先に設置されてしまうことがあり、その場合には、浴槽の外側にナットを配置することができないため、排水口金を取り付けることができなくなってしまうという問題があった。その場合には、設置した浴槽を一旦外さなければならず、面倒な作業を余儀なくされてしまうことになる。
また、設置後に、排水構造を構成する各部品を交換することができないという問題もあった。つまり、排水口金を外すと外側のナットが落下してしまい、その後、新たな排水口金を取り付けようとしても、落下ししたナットを拾い上げて螺合させることができないからである。
【０００６】
本考案はこのような点に基づいてなされたものでその目的とするところは、浴槽の設置後であっても排水構造を構成する部品の取付・交換ができる浴槽の排水構造を提供することにある。
【課題を解決するための手段】
【０００７】
上記目的を達成するべく本願考案の請求項１に記載された浴槽の排水構造は、浴槽の外側に固着されたナットと、上記浴槽の内側から貫通・配置され上記ナットに螺合される排水口部材と、を具備したことを特徴とするものである。
又、請求項２に記載された浴槽の排水構造は、請求項１記載の浴槽の排水構造において、上記排水口部材内には排水連絡管が挿入されその一部が上記浴槽の外側に突出・配置されていることを特徴とするものである。
又、請求項３に記載された浴槽の排水構造は、請求項２記載の浴槽の排水構造において、上記排水口部材内であって上記排水連絡管の上には目皿が着脱自在に設置されていて上記排水連絡管を固定していることを特徴とするものである。
又、請求項４に記載された浴槽の排水構造は、請求項３記載の浴槽の排水構造において、上記目皿は上記排水口部材内に螺合・固定されるものであることを特徴とするものである。
又、請求項５に記載された浴槽の排水構造は、請求項１〜請求項４の何れかに記載の浴槽の排水構造において、上記浴槽の内側には化粧板が設置されていて、上記排水口部材と上記化粧板との間には排水口化粧用カバが設置されていることを特徴とするものである。
又、請求項６に記載された浴槽の排水構造は、請求項１〜請求項５の何れかに記載の浴槽の排水構造において、上記ナットは上記底壁の外側の凹部に固着されていることを特徴とするものである。
【考案の効果】
【０００８】
以上述べたように本願考案の請求項1による浴槽の排水構造によると、浴槽の外側に固着されたナットと、上記浴槽の内側から貫通・配置され上記ナットに螺合される排水口部材と、を具備したので、浴槽の設置後であっても排水構造を構成する部品の取付・交換を行うことができる。
又、請求項２に記載された浴槽の排水構造によると、請求項１記載の浴槽の排水構造において、上記排水口部材内には排水連絡管が挿入されその一部が上記浴槽の外側に突出・配置されているので、浴槽の設置後であっても上記排水連絡管を交換することができる。また、予め内径の異なる排水連絡管を用意しておき、上記排水連絡管を交換することで排水の速度を調節することができる。
又、請求項３に記載された浴槽の排水構造によると、請求項２記載の浴槽の排水構造において、上記排水口部材内であって上記排水連絡管の上には目皿が着脱自在に設置されていて上記排水連絡管を固定しているので、上記排水連絡管を簡易な構成により着脱可能に設置することができる。
又、請求項４に記載された浴槽の排水構造によると、請求項３記載の浴槽の排水構造において、上記目皿は上記排水口部材内に螺合・固定されるものであるので、上記目皿及び上記排水連絡管を確実に固定することができる。
又、請求項５に記載された浴槽の排水構造によると、請求項１〜請求項４の何れかに記載の浴槽の排水構造において、上記浴槽の内側には化粧板が設置されていて、上記排水口部材と上記化粧板との間には排水口化粧用カバが設置されているので、化粧板と排水口部材との間の隙間を埋めて段差を軽減させることができる。また、浴槽と化粧板との間の隙間を遮蔽することができる。さらに、美観の向上を図ることができる。
又、請求項６に記載された浴槽の排水構造によると、請求項１〜請求項５の何れかに記載の浴槽の排水構造において、上記ナットは上記底壁の外側の凹部に固着されているので、ナットが浴槽の底壁から出っ張ることがない。
【図面の簡単な説明】
【０００９】
【図１】本考案の第１の実施の形態を示す図で、図１（ａ）は浴槽の排水構造を示す一部平面図、図１（ｂ）は図１（ａ）のＩｂ−Ｉｂ断面図である。
【図２】本考案の第１の実施の形態を示す図で、図２（ａ）は排水口金の平面図、図２（ｂ）は図２（ａ）のＩＩｂ−ＩＩｂ断面図である。
【図３】本考案の第１の実施の形態を示す図で、図３（ａ）は目皿の平面図、図３（ｂ）は図３（ａ）のＩＩＩｂ−ＩＩＩｂ断面図である。
【図４】本考案の第１の実施の形態を示す図で、排水連絡管の縦断面図である。
【図５】本考案の第２の実施の形態を示す図で、浴槽の排水構造を示す断面図である。
【考案を実施するための形態】
【００１０】
以下、図１乃至図４を参照しながら本考案の第１の実施の形態について説明する。
図１に示すように、浴槽１には排水構造３が設けられている。まず、上記浴槽１とその周辺の構成について説明する。
上記浴槽１は、図１に示すように、例えば、繊維強化プラスチック（Ｆｉｂｅｒ  Ｒｅｉｎｆｏｒｃｅｄ  Ｐｌａｓｔｉｃｓ、以下、ＦＲＰという。）製であって、器形状を成す浴槽本体５と、この浴槽本体５の外周側に設置された、例えば、ＦＲＰ製の浴槽用補強材７とから構成される。上記浴槽本体５の底壁５ａには排水口金設置用貫通孔９が形成されている。また、上記浴槽用補強材７の、上記排水口金設置用貫通孔９の図１（ｂ）中下側部分には、貫通孔１１が形成されている。
【００１１】
また、上記浴槽１の底壁５ａ上には、例えば、大理石製の化粧板１３が設置されている。この化粧板１３の、上記排水口金設置用貫通孔９の図１（ｂ）中上側部分には、貫通孔１５が形成されており、この貫通孔１５内には、排水口化粧用カバ１７が設置されている。
【００１２】
また、上記浴槽１は、床１９上に設置されている。この床１９は、例えば、ＦＲＰ製の床材本体２１と、この床材本体２１の上側に設置された、例えば、ＦＲＰ製の床用表面材２３とから構成されている。上記床用表面材２３の、上記排水口金設置用貫通孔９の図１（ｂ）中下側部分は、図１（ｂ）中下側に突出・変形されていて、そこが排水トラップ設置部２５となっている。この排水トラップ設置部２５には貫通孔２７が形成されている。そして、上記貫通孔２７内には排水トラップ２９がその上端部を挿入した状態で設置されている。すなわち、排水トラップ２９は、本体とこの本体に対して螺合により着脱可能に設けられた短管付蓋体とから構成されている。上記排水トラップ２９は、上記短管付蓋体と上記本体との間に上記貫通孔２７の縁部を挟持させた状態で、上短管付蓋体を上記本体に螺合させることにより、上記排水トラップ設置部２５に設置されている。
【００１３】
次に、排水構造３の詳細について説明する。
まず、上記浴槽本体５の底壁５ａの外側（図１（ｂ）中下側）であって、排水口金設置用貫通孔９の縁部には、ナット３１がＦＲＰ樹脂３５により予め固着されている。このナット３１は、例えば、ステンレス製であり、その内周面には、雌ネジ部３３が形成されている。
なお、上記ナット３１や上記接ＦＲＰ樹脂３５は、上記浴槽用補強材７の貫通孔１１内に収容・配置されている。
【００１４】
また、上記ナット３１には、上記浴槽３の内側（図２（ｂ）中上側）から挿入された排水口部材としての排水口金３７が螺合されている。この排水口金３７は、図２に示すように、略筒状の部材であり、外周面には雄ネジ部３９が形成されている。上記排水口金３７は、この雄ネジ部３９を上記ナット３１の雌ネジ部３３に螺合することにより固定されている。また、上記排水口金３７の図２（ｂ）中上端側には、外周側に突出されたフランジ部４１が形成されている。
【００１５】
また、上記排水口金３７の内側の図２（ｂ）中下端側は縮径部４３となっており、この縮径部４３の図２（ｂ）中上側の面が排水口金側係合部４５となっている。また、上記縮径部４３の図２（ｂ）中上端側には、傾斜面４７が形成されている。また、上記縮径部４３及び傾斜面４７の内周面には取付治具用係合凹部４９、４９が形成されている。この取付治具用係合凹部４９、４９に図示しない取付治具（例えば、板状の取付治具）を係合させ、この取付治具を回転させることで、上記排水口金３７の上記ナット３１に対する着脱を行う。
【００１６】
また、上記排水口金３７の内側であって、上記排水口金側係合部４５より図２（ｂ）中上側には、目皿用雌ネジ部５１が形成されている。また、上記排水口金３７の内側の、図２（ｂ）中上端から上記目皿用雌ネジ部５１までの部分には、傾斜面５３が形成されている。
なお、上記排水口金３７は、例えば、ステンレス製である。
【００１７】
また、図１に示すように、上記排水口金３７のフランジ部４１と上記浴槽３との間には、パッキン５５が介挿されている。
【００１８】
また、上記排水口金３７内には、上記浴槽３の内側（図２（ｂ）中上側）から挿入された排水連絡管５７が設置・固定されている。図４にも示すように、この排水連絡管５７の上端にはフランジ５９が形成されている。このフランジ５９が上記排水口金側係合部４５に係合されている。又、上記排水連絡管５７の上端側であって外周にはテーパ部６１が形成されており、このテーパ部６１が上記排水口金３７の傾斜面４７に当接されている。
また、上記排水連絡管５７としては、内径の異なるものが複数種類用意されており、適宜選択して使用することにより、排水量を所定の値に設定するようにしている。
【００１９】
また、上記排水口金３７内であって、上記排水連絡管５７の図１（ｂ）中上側には、例えば、ステンレス製の目皿６３が設置されている。この目皿６３には、図３に示すように、クロス状のトラップ部６５が形成されている。このトラップ部６５によって排水中に含まれる異物をトラップするものである。
【００２０】
また、上記目皿６３の外周面には、雄ネジ部６７が形成されている。上記目皿６３は、この雄ネジ部６７を上記排水口金３７の目皿用雌ネジ部５１に螺合させることにより固定されている。また、上記排水連絡管５７のフランジ５９は上記目皿６３と上記排水口金側係合部４５との間に挟持・固定されている。
また、上記排水連絡管５７は、上記浴槽３の外部（図１（ｂ）中下側）に突出され、上記排水トラップ２９内に挿入されている。
また、図１（ｂ）に示すように、上記排水口金３７の図１（ｂ）中上端側には、例えば、ゴム製の栓６９が圧入され、これにより上記浴槽１内に水が保持されることになる。
【００２１】
次に、この第１の実施の形態による作用について説明する。
まず、排水構造３を組み立てる作業から説明する。
まず、床１９の排水トラップ設置部２５に排水トラップ２９を設置し、その上に、浴槽１を設置する。この浴槽３の上記浴槽本体５の底壁５ａの外側（図１（ｂ）中下側）にはナット３１が予め固着されている。
次に、排水口金３７を上記浴槽３の内側から排水口金設置用貫通孔９に挿入し、上記ナット３１に螺合させて固定する。
次に、排水連絡管５７を上記浴槽３の内側から上記排水口金３７内に挿入する。
次に、目皿６３を上記浴槽３の内側から上記排水口金３７内に挿入し、目皿用雌ネジ部５１に螺合させる。
【００２２】
また、上記排水連絡管５７には、内径の異なるものが予め複数種類用意されており、排水量に応じた排水連絡管５７を選択して使用する
また、排水量を変更するべく上記排水連絡管５７を交換する際は、上記目皿６３を取り外して排水連絡管５７を取り出し、別の種類の排水連絡管５７を上記排水口金３７内に挿入して、再び上記目皿６３を上記排水口金３７に取り付ければよい。
【００２３】
次に、この第１の実施の形態による効果について説明する。
まず、浴槽３の設置後であっても、排水口金３７の取付を行うことができる。これは、上記浴槽本体５の底壁５ａの外側（図１（ｂ）中下側）であって、排水口金設置用貫通孔９の縁部に、ナット３１が予め固着されているからである。
又、上記ナット３１は、貫通孔１１内に設置されていて浴槽１から出っ張っていないので、搬送時、組立時に他の構成部品と干渉することもなく好都合である。
また、排水口金３７の交換も可能である。これは、排水口金３７を外してもナット３１が落下することはなく、新たな排水口金３７を取り付けることができるからである。
また、排水連絡管５７の着脱も可能である。これは、目皿６３を排水口金３７に対して着脱可能に構成し、目皿６３を外すことにより上記排水連絡管５７の出し入れが可能になったからである。
また、排水連絡管５７の着脱が可能になったことにより、内径の異なる別の排水連絡管５７と交換することで排水量の調整も可能になった。
また、排水口化粧用カバ１７が設置されているので、化粧板１３と排水口金３７との間の隙間を埋めて段差を軽減させることができる。また、浴槽本体５と化粧板１３との間の隙間を遮蔽することができる。さらに、美観の向上を図ることができる。
【００２４】
次に、図５を参照して、本考案の第２の実施の形態を説明する。
この第２の実施の形態の場合には、浴槽７１に排水構造７３が設置されている。上記浴槽７１は、例えば、ＦＰＲ製の芯材７５の表面に、例えば、ＦＰＲ製の表面材７９を被覆した構成になっている。
なお、図５中符号７７は脚部である。
また、上記浴槽７１の底壁側の芯材７５には貫通孔８１が形成されており、この貫通孔８１の形成された部分については、外側（図５中下側）の上記表面材７９が湾曲されて、凹部８３が形成されている。また、この凹部８３内には、排水口金設置用貫通孔８５が形成されている。
【００２５】
また、上記排水口金設置用貫通孔８５の縁部には、排水口化粧板８７が設置されている。また、上記浴槽７１の底壁の上記排水口化粧板８７が設置された部分以外の部分には、底部化粧板８９が設置されている。また、上記浴槽７１内部の側周面には、内周用化粧板９１が設置されている。また、上記浴槽７１の外周側には、外周用化粧板９３が設置されている。
【００２６】
次に、上記排水構造７３の構成について説明する。
上記排水口金設置用貫通孔８５の外縁部には、ナット３１がＦＲＰ樹脂３５により予め固着されている。
なお、この第２の実施の形態の場合には、上記ナット３１と上記浴槽７１との間に、パッキン９５が介挿されている。
【００２７】
また、上記ナット３１の内側には、上記浴槽７１の内側（図５中上側）から挿入された排水口部材としての排水口金３７が螺合されている。上記排水口金３７のフランジ部４１と上記浴槽３との間には、パッキン５５が介挿されている。
なお、上記ナット３１と上記排水口金３７の先端側（図５中下側）は、上記浴槽７１の凹部８３内に収容・配置されている。
【００２８】
また、上記浴槽７１の図５中下側にエルボ状の排水管９７が配置されていて、その排水管９７内に、排水口金３７を直接挿入・配置した構成になっている。
つまり、前記第１の実施の形態で使用した排水連絡管５７を使用しない構成になっている。
なお、その他の構成は前記第１の実施の形態と同じであり、図中同一部分には同一符号を付して示しその説明を省略する。
【００２９】
この第２の実施の形態の場合も、前記第１の実施の形態の場合と同様の作用・効果を奏することができることはもとより、排水連絡管を使用しない分構成が簡略化される。
【００３０】
尚、本考案は前記第１の実施の形態や第２の実施の形態に限定されない。
例えば、排水口部材としては、ステンレス製の排水口金の代わりに、樹脂製の排水口部材が用いられる場合も考えられる。また、ナットや目皿も、例えば、樹脂製のものが用いられる場合も考えられる。
また、浴槽の化粧板が設置されない場合も考えられる。
また、上記排水連絡管や排水口部材が上記排水トラップの上側に位置していて、上記排水トラップ内には挿入されない場合も考えられる。
また、排水連絡管がなく、排水口部材の先端側が排水トラップ内に挿入される場合も考えられる。
また、上記目皿が螺合されて固定されるのではなく、例えば、単なる嵌合、圧入、等によって排水口部材に固定される場合も考えられる。
また、上記目皿が設置されない場合も考えられる。
その他、各構成要素の形状、寸法等、図示した構成はあくまで一例である。
【産業上の利用可能性】
【００３１】
本考案は、浴槽の排水構造に係り、特に、浴槽の設置後であっても、排水構造を構成する部品の取付・交換ができるように工夫したものに関し、例えば、ホテル、集合住宅等における浴槽の排水構造に好適である。
【符号の説明】
【００３２】
１  浴槽
３  排水構造
１１  貫通孔（凹部）
１３  化粧板
１７  排水口化粧用カバ
３１  ナット
３７  排水口金（排水口部材）
４５  排水口部材側係合部
５１  目皿用雌ネジ部
５７  排水連絡管
５９  排水連絡管側係合部
６３  目皿
６７  雄ネジ部
７３  排水構造
８３  凹部
【図１】
0003204494.tif 000003
【図２】
0003204494.tif 000004
【図３】
0003204494.tif 000005
【図４】
0003204494.tif 000006
【図５】
0003204494.tif 000007